(57)【要約】【課題】スプリンクラーの配管を設置する施工が簡略化する。【解決手段】配管１４及びスプリンクラーヘッド取付用継ぎ手１８をパネル１２と一体化する。配管１４、スプリンクラーヘッド取付用継ぎ手１８及びパネル１２を別々に設置する必要がなく、パネル１２を天井スラブ１００に配置することで、スプリンクラーの配管の設置が可能となる。このため、スプリンクラーの配管を設置する施工が簡略化できる。【選択図】図１
2009045261.tif 000002
【特許請求の範囲】
【請求項１】
被配置面に配置されるパネルと、
前記パネルの裏面に取り付けられた配管と、
前記配管の端部に設けられ、前記配管と他の配管とを接続するための接続用継ぎ手と、
前記パネルに取り付けられ、前記配管と連通し、前記パネルの表面側にスプリンクラーヘッドが取付可能なスプリンクラーヘッド取付用継ぎ手と、
を備えたことを特徴とするスプリンクラー配設用パネル。
【請求項２】
前記配管は、樹脂材料で形成され、
前記パネルは、不燃性材料から形成されていることを特徴とする請求項１に記載のスプリンクラー配設用パネル。
【請求項３】
前記接続用継ぎ手は、メス部とオス部を有すると共に前記オス部が前記メス部に差し込まれる一操作で接続可能なワンタッチ継ぎ手であることを特徴とする請求項１又は請求項２に記載のスプリンクラー配設用パネル。
【請求項４】
前記スプリンクラーヘッド取付用継ぎ手を隠蔽し、前記パネルの表面に着脱可能なカバーを備えたことを特徴とする請求項１〜３のいずれか１項に記載のスプリンクラー配設用パネル。
【請求項５】
請求項１〜４のいずれか１項に記載のスプリンクラー配設用パネルを複数備え、
隣接する前記スプリンクラー配設用パネルの接続用継ぎ手を接続して、前記スプリンクラー配設用パネルを前記被配置面に配置したことを特徴とするスプリンクラー配設用パネルシステム。
【発明の詳細な説明】
【技術分野】
【０００１】
本発明は、スプリンクラー配設用パネル及びスプリンクラー配設用パネルシステムに関する。
【背景技術】
【０００２】
一般建築物件においては、不燃の基準から、スプリンクラーの配管に耐火性能が必要となる。このため、スプリンクラーの配管には、鋼管が用いられている。また、鋼管は、天井の美観を確保するために、天井裏に配置されている。
【０００３】
このように鋼管を用いる構成では、天井の重量が重くなる、配管工事が複雑となる、スプリンクラーの位置を変更したときに再配管が必要となるなどの欠点を有している。
これに対して、特許文献１には、樹脂配管を使用すると共に耐火性を確保するために不燃性パネルを使用する構成が開示されている。
【０００４】
【特許文献１】実公平７−４８２４号公報
【発明の開示】
【発明が解決しようとする課題】
【０００５】
スプリンクラーの配管を設置する施工では、特許文献１の構成においても、さらなる施工の簡略化が望まれている。
本発明は、上記事実を考慮し、スプリンクラーの配管を設置する施工が簡略化できるスプリンクラー配設用パネル及びスプリンクラー配設用パネルシステムを提供することを目的とする。
【課題を解決するための手段】
【０００６】
本発明の請求項１に係るスプリンクラー配設用パネルは、被配置面に配置されるパネルと、前記パネルの裏面に取り付けられた配管と、前記配管の端部に設けられ、前記配管と他の配管とを接続するための接続用継ぎ手と、前記パネルに取り付けられ、前記配管と連通し、前記パネルの表面側にスプリンクラーヘッドが取付可能なスプリンクラーヘッド取付用継ぎ手と、を備えたことを特徴とする。
【０００７】
この構成によれば、配管及びスプリンクラーヘッド取付用継ぎ手がパネルに取り付けられているので、配管、スプリンクラーヘッド取付用継ぎ手及びパネルを別々に設置する必要がなく、パネルを被配置面に配置することで、スプリンクラーの配管の設置が可能となる。このため、スプリンクラーの配管を設置する施工が簡略化できる。
【０００８】
本発明の請求項２に係るスプリンクラー配設用パネルは、請求項１の構成において、前記配管は、樹脂材料で形成され、前記パネルは、不燃性材料から形成されていることを特徴とする。
この構成によれば、配管が樹脂で形成されているので、鋼管を用いる構成に比して、スプリンクラー配設用パネルの軽量化が図れる。
このように、スプリンクラー配設用パネルの軽量化が図れるので、スプリンクラー配設用パネルの取り扱いが容易となり、スプリンクラーの配管を設置する施工が簡略化できる。
また、パネルが不燃性材料で形成されているので、不燃の基準がある一般建築向けにも、樹脂製の配管を備えたスプリンクラー配設用パネルを用いることができる。
【０００９】
本発明の請求項３に係るスプリンクラー配設用パネルは、請求項１又は請求項２の構成において、前記接続用継ぎ手は、メス部とオス部を有すると共に前記オス部が前記メス部に差し込まれる一操作で接続可能なワンタッチ継ぎ手であることを特徴とする。
この構成によれば、接続用継ぎ手が、メス部とオス部を有すると共にオス部がメス部に差し込まれる一操作で接続可能なワンタッチ継ぎ手で構成されているので、配管と他の配管との接続が容易となり、スプリンクラーの配管を設置する施工が簡略化できる。
【００１０】
本発明の請求項４に係るスプリンクラー配設用パネルは、請求項１〜３のいずれか１項の構成において、前記スプリンクラーヘッド取付用継ぎ手を隠蔽し、前記パネルの表面に着脱可能なカバーを備えたことを特徴とする。
この構成によれば、スプリンクラーヘッドを取り付けないスプリンクラーヘッド取付用継ぎ手を隠蔽できる。これにより、スプリンクラー配設用パネルの意匠性が向上する。
【００１１】
本発明の請求項５に係るスプリンクラー配設用パネルシステムは、請求項１〜４のいずれか１項の構成において、請求項１〜４のいずれか１項に記載のスプリンクラー配設用パネルを複数備え、隣接する前記スプリンクラー配設用パネルの接続用継ぎ手を接続して、前記スプリンクラー配設用パネルを前記被配置面に配置したことを特徴とする。
この構成によれば、隣接するスプリンクラー配設用パネルの接続用継ぎ手を接続して、請求項１〜４のいずれか１項に記載のスプリンクラー配設用パネルが被配置面に複数配置されるので、スプリンクラーの配管を設置する施工が簡略化できる。
【発明の効果】
【００１２】
本発明は、上記構成としたので、スプリンクラーの配管を設置する施工が簡略化できる。
【発明を実施するための最良の形態】
【００１３】
以下に、本発明に係る実施形態の一例を図面に基づき説明する。
（本実施形態に係るスプリンクラー配設用パネルシステムの構成）
図１は、本実施形態に係るスプリンクラー配設用パネルシステムを示す概略図である。図２は、本実施形態に係るスプリンクラー配設用パネルを天井スラブに配置した状態を示す概略図である。図３は、本実施形態に係るスプリンクラー配設用パネルを天井材に配置する場合を示す概略図である。図４は、本実施形態に係るスプリンクラー配設用パネルを天井材に配置した状態を示す概略図である。
【００１４】
スプリンクラー配設用パネルシステム５０は、図１に示すように、スプリンクラー配設用パネル１０を複数備えている。
スプリンクラー配設用パネル１０は、図２に示すように、隣接するスプリンクラー配設用パネル１０の後述する接続用継ぎ手１６を接続して、被配置面の一例としての天井スラブ１００に配置される。
【００１５】
なお、スプリンクラー配設用パネル１０が配置される被配置面としては、例えば、図３及び図４に示すように、天井スラブ１００に配置された天井材１０２であってもよい。なお、図３及び図４に示す例では、天井材１０２にスプリンクラー１０４が設置され、スプリンクラー１０４に水を供給する配管１０６が天井裏に設置されている。
【００１６】
（本実施形態に係るスプリンクラー配設用パネルの構成）
ここで、スプリンクラー配設用パネル１０の構成について説明する。
図５は、本実施形態に係るスプリンクラー配設用パネルの構成を示す斜視図である。図６は、図５に示すスプリンクラー配設用パネルの変形例を示す斜視図である。図７は、図５に示すスプリンクラー配設用パネルを表面側から見た斜視図である。
【００１７】
スプリンクラー配設用パネル１０は、図５に示すように、被配置面に配置されるパネル１２を備えている。
パネル１２は、板状であって、矩形状に形成されている。パネル１２が配置される被配置面としては、例えば、天井スラブ１００（図１及び図２参照）や天井スラブ１００に配置された天井材１０２（図３及び図４参照）が該当し、パネル１２は、天井材１０２に配置可能な構成とすることもできる。
【００１８】
また、パネル１２は、不燃性材料で形成されている。不燃性材料で形成されたパネル１２としては、例えば、石膏ボード、鉄板を有するボードが用いられる。これにより、不燃の基準がある一般建築向けにも、樹脂製の配管１４を備えたスプリンクラー配設用パネル１０を用いることができる。また、配管１４に不燃性をもたせる必要がなくなり、配管１４の材料選択の幅が広がる。
また、パネル１２の表面は、天井仕上げと同様な意匠とされた化粧パネルとされている。
【００１９】
パネル１２の裏面、すなわち被配置面に対向する面には、ポリブテン等の樹脂で形成された配管１４が配置されている。
配管１４は、図示しない取付部材によりパネル１２に取り付けられており、パネル１２と一体化されている。また、配管１４は、図１に示すように、パネル１２の中央部を横切るように１本配置されている。
【００２０】
なお、配管１４は、パネル１２に取り付けられていれば、パネル１２に一体化されていない構成であってもよい。
また、配管１４は、図６に示すように、十字状に配置された構成であってもよい。この構成によれば、配管１４内の水等の流体を、十字状に交差する方向に流通させることが可能となる。
【００２１】
配管１４の両端部には、配管１４と他の配管１４とを接続するための接続用継ぎ手１６が設けられている。
配管１４の一端部には、接続用継ぎ手１６のオス部１６Ａが配置されており、配管１４の他端部には、接続用継ぎ手１６のメス部１６Ｂが配置されている。オス部１６Ａは、他の配管１４のメス部１６Ｂに差し込まれて、配管１４と他の配管１４とが接続される。
【００２２】
接続用継ぎ手１６としては、例えば、メス部１６Ｂにオス部１６Ａを差し込む一操作（ワンタッチ）で接続されるワンタッチ継ぎ手が用いられる。
パネル１２の中央部には、パネル１２の表面側にスプリンクラーヘッド２０が取付可能なスプリンクラーヘッド取付用継ぎ手１８が配置されている。
【００２３】
スプリンクラーヘッド取付用継ぎ手１８は、パネル１２に取り付けられており、パネル１２と一体化されている。
なお、スプリンクラーヘッド取付用継ぎ手１８は、パネル１２に取り付けられていれば、パネル１２に一体化されていない構成であってもよい。
【００２４】
また、スプリンクラーヘッド取付用継ぎ手１８は、パネル１２の裏面側で配管１４と連通している。さらに、スプリンクラーヘッド取付用継ぎ手１８は、スプリンクラーヘッド２０が取り付けられるスプリンクラーヘッド取付用継ぎ手１８の取り付け部としての孔１８Ａが、パネル１２の表面側に向けて、パネル１２を貫通する貫通孔２３に配置されている。
この孔１８Ａに、パネル１２の表面側から貫通孔２３を通じて、スプリンクラーヘッド２０を差し込んで、スプリンクラーヘッド２０をパネル１２の表面側に取り付けられるようになっている。
【００２５】
図７に示すように、スプリンクラーヘッド取付用継ぎ手１８は、スプリンクラーヘッド取付用継ぎ手１８にスプリンクラーヘッド２０を差し込む一操作（ワンタッチ）で取付可能なワンタッチ取付構造とされている。
また、貫通孔２３には、スプリンクラーヘッド取付用継ぎ手１８を隠蔽するカバー２２が着脱可能となっている。
【００２６】
スプリンクラーヘッド取付用継ぎ手１８にスプリンクラーヘッド２０を取り付けない場合に、カバー２２を貫通孔２３に装着して、スプリンクラーヘッド取付用継ぎ手１８を隠蔽することができる。
なお、カバー２２で貫通孔２３を隠蔽する場合には、スプリンクラーヘッド２０が取り付けられるスプリンクラーヘッド取付用継ぎ手１８の取り付け部としての孔１８Ａに、孔１８Ａを塞ぐための図示しない蓋部が装着される。
【００２７】
（本実施形態に係るスプリンクラー配設用パネルシステムの作用）
次に、本実施形態に係るスプリンクラー配設用パネルシステムについて作用を説明する。
本実施形態に係るスプリンクラー配設用パネルシステム５０では、隣接するスプリンクラー配設用パネル１０の接続用継ぎ手１６のオス部１６Ａとメス部１６Ａとを接続して、複数のスプリンクラー配設用パネル１０を天井スラブ１００に配置する。
【００２８】
スプリンクラーヘッド２０を取り付けないスプリンクラーヘッド取付用継ぎ手１８が配置された貫通孔２３には、カバー２２を装着する。
本実施形態に係るスプリンクラー配設用パネルシステム５０によれば、配管１４及びスプリンクラーヘッド取付用継ぎ手１８がパネル１２と一体化されているので、配管１４、スプリンクラーヘッド取付用継ぎ手１８及びパネル１２を別々に設置する必要がなく、パネル１２を天井スラブ１００に配置することで、スプリンクラーの配管の設置が可能となる。このため、スプリンクラーの配管を設置する施工が簡略化できる。
【００２９】
また、配管１４及びスプリンクラーヘッド取付用継ぎ手１８は、パネル１２と一体化されているので、配管１４及びスプリンクラーヘッド取付用継ぎ手１８をパネル１２に近接して配置することにより、スプリンクラー配設用パネル１０の薄型化が図れる。また、樹脂製の配管１４を使用することにより、鋼管を用いる構成に比して、スプリンクラー配設用パネル１０の軽量化が図れる。
【００３０】
このように、スプリンクラー配設用パネル１０の薄型化及びスプリンクラー配設用パネル１０の軽量化が図れることにより、スプリンクラー配設用パネル１０の取り扱いが容易となり、スプリンクラーの配管を設置する施工が簡略化できる。
【００３１】
また、接続用継ぎ手１６が、メス部１６Ｂにオス部１６Ａを差し込む一操作で接続可能なワンタッチ継ぎ手で構成されているので、配管１４と他の配管１４との接続が容易となり、スプリンクラーの配管を設置する施工が簡略化できる。
【００３２】
また、本実施形態に係るスプリンクラー配設用パネルシステム５０によれば、カバー２２によりスプリンクラーヘッド２０を取り付けないスプリンクラーヘッド取付用継ぎ手１８を隠蔽できる。これにより、スプリンクラー配設用パネルの意匠性が向上する。
【００３３】
また、スプリンクラーヘッド２０の位置を変更する場合には、新たにスプリンクラーヘッド２０を取り付けるスプリンクラーヘッド取付用継ぎ手１８のある貫通孔２３に装着されたカバー２２をはずして、このスプリンクラーヘッド取付用継ぎ手１８にスプリンクラーヘッド２０を取り付ける。
次に、不要となったスプリンクラーヘッド２０をはずし、スプリンクラーヘッド２０がはずされたスプリンクラーヘッド取付用継ぎ手１８のある貫通孔２３にカバー２２を装着して、スプリンクラーヘッド取付用継ぎ手１８を隠蔽する。このように、スプリンクラーヘッド２０の着脱よりスプリンクラーヘッド２０の位置変更ができるので、配管１４の設置をやり直す必要がなくなり、スプリンクラーヘッド２０の位置変更が容易となる。
【００３４】
図３及び図４に示すように、天井スラブ１００に天井材１０２が配置され、天井材１０２の天井裏にスプリンクラーが設置された構成においても、スプリンクラーを配置する位置の変更やスプリンクラーを追加するリフォームする場合に、スプリンクラー配設用パネルシステム５０を用いることができる。
【００３５】
この場合も、図１及び図２に示すのと同様に、隣接するスプリンクラー配設用パネル１０の接続用継ぎ手１６を接続して、複数のスプリンクラー配設用パネル１０を天井材１０２に配置する。
【００３６】
この構成によれば、天井材１０２をはがして、天井裏の配管を設置しなおす必要がなくなり、スプリンクラーの配管を設置する施工が簡略化できる。
本発明は、上記の実施形態に限るものではなく、種々の変形、変更、改良が可能である。
【図面の簡単な説明】
【００３７】
【図１】図１は、本実施形態に係るスプリンクラー配設用パネルシステムを示す概略図である。
【図２】図２は、本実施形態に係るスプリンクラー配設用パネルを天井スラブに配置した状態を示す概略図である。
【図３】図３は、本実施形態に係るスプリンクラー配設用パネルを天井材に配置する場合を示す概略図である。
【図４】図４は、本実施形態に係るスプリンクラー配設用パネルを天井材に配置した状態を示す概略図である。
【図５】図５は、本実施形態に係るスプリンクラー配設用パネルの構成を示す斜視図である。
【図６】図６は、図５に示すスプリンクラー配設用パネルの変形例を示す斜視図である。
【図７】図７は、図５に示すスプリンクラー配設用パネルを表面側から見た斜視図である。
【符号の説明】
【００３８】
１０   スプリンクラー配設用パネル
１２   パネル
１４   配管
１６   接続用継ぎ手
１８   スプリンクラーヘッド取付用継ぎ手
２０   スプリンクラーヘッド
２２   カバー
５０   スプリンクラー配設用パネルシステム
【図１】
2009045261.tif 000003
【図２】
2009045261.tif 000004
【図３】
2009045261.tif 000005
【図４】
2009045261.tif 000006
【図５】
2009045261.tif 000007
【図６】
2009045261.tif 000008
【図７】
2009045261.tif 000009